(57)【要約】【課題】  組立作業性の良好な陳列棚を提供する。【解決手段】  陳列棚１０は、一対の側板２０と棚板３０を有している。棚板３０は階段状に折り曲げ可能に交互に連接する棚板部３１および背板部３２と、背板部３２の両側から張り出した係止部３３とを有している。係止部３３の中央に第１のスリット３４が設けられ、係止部３３の両端に第２のスリット３５ａ、３５ｂが設けられている。側板２０は階段状の斜辺２１を有している。各段の斜辺２１に第1のスリット３４に嵌合する第１の凸部２２と、第２のスリット３５ａ、３５ｂに嵌合する第２の凸部２３が設けられている。対向配置された一対の側板３０に、第１のスリット３４に第１の凸部２２が挿入され、第２のスリット３５ａ、３５ｂに第２の凸部２３が挿入されて棚板３０が係止されている。【選択図】  図１
2015085147.tif 000002
【特許請求の範囲】
【請求項１】
階段状に折り曲げ可能に交互に連接する棚板部および背板部と、前記背板部の両側から張り出した係止部とを有し、前記係止部の中央に第１のスリットが設けられ、前記係止部の両端に第２のスリットが設けられた棚板と、
階段状の斜辺を有し、各段の前記斜辺に前記第1のスリットに嵌合する第１の凸部と、前記第２のスリットに嵌合する第２の凸部が設けられた一対の側板と、
を具備し、
対向配置された前記一対の側板に、前記第１のスリットに前記第１の凸部が挿入され、前記第２のスリットに前記第２の凸部が挿入されて前記棚板が係止されていることを特徴とする陳列棚。
【請求項２】
前記棚板は、最下段の前記棚板部に折り曲げ可能に連接された台座部と、最上段の前記背板部に折り曲げ可能に連接された天板部とを有することを特徴とする請求項１に記載の陳列棚。
【請求項３】
前記側板は、最上段の前記斜辺を含む上部と、前記上部に隣接する下部と、最上段の前記斜辺を除く斜辺を含み、前記下部の一方に隣接する斜辺部と、前記下部の他方に隣接する補強部とに区分され、前記上部と前記下部が折り曲げ可能に連接し、前記下部と前記斜辺部が折り曲げ可能に連接し、前記下部と前記補強部が折り曲げ可能に連接していることを特徴とする請求項１に記載の陳列棚。
【請求項４】
前記棚板および前記側板は、ダンボールシートであること特徴とする請求項１に記載の陳列棚。
【請求項５】
前記棚板は前記ダンボールシートの目に沿った切れ込みを有し、前記側板は前記ダンボールシートの目に沿った切れ込みおよび前記ダンボールシートの目に直交する方向に沿った切れ込みを有することを特徴とする請求項４に記載の陳列棚。
【発明の詳細な説明】
【技術分野】
【０００１】
本発明の実施形態は、陳列棚に関する。
【背景技術】
【０００２】
従来、陳列棚には一対の側板と、一対の側板を連結する上下連結板と、一対の側板の間に横架される複数の棚板および各棚板の上に立設するように一対の側板の間に横架される複数の背板を有するものがある。
【０００３】
然しながら、従来の陳列棚は部品数が多いため、組立に時間がかかるという問題がある。
【先行技術文献】
【特許文献】
【０００４】
【特許文献１】特開平１０−８５０９６号公報
【発明の概要】
【発明が解決しようとする課題】
【０００５】
組立作業性の良好な陳列棚を提供することを目的とする。
【課題を解決するための手段】
【０００６】
一つの実施形態によれば、陳列棚は、階段状に折り曲げ可能に交互に連接する棚板部および背板部と、前記背板部の両側から張り出した係止部とを有し、前記係止部の中央に第１のスリットが設けられ、前記係止部の両端に第２のスリットが設けられた棚板と、階段状の斜辺を有し、各段の前記斜辺に前記第1のスリットに嵌合する第１の凸部と、前記第２のスリットに嵌合する第２の凸部が設けられた一対の側板と、を具備し、対向配置された前記一対の側板に、前記第１のスリットに前記第１の凸部が挿入され、前記第２のスリットに前記第２の凸部が挿入されて前記棚板が係止されている。
【発明の効果】
【０００７】
本発明の実施形態によれば、組立作業性の良好な陳列棚が得られる。
【図面の簡単な説明】
【０００８】
【図１】実施形態１に係る陳列棚を示す分解斜視図。
【図２】実施形態１に係る陳列棚を示す図で、図２（ａ）はその正面図、図２（ｂ）はその側面図、図２（ｃ）はその平面図。
【図３】実施形態１に係る陳列棚の側板を示す展開図。
【図４】実施形態１に係る陳列棚の棚板を示す展開図。
【図５】実施形態１に係る切れ込みを示す断面図。
【図６】実施形態１に係る陳列棚に物品を陳列した状態を示す斜視図。
【図７】実施形態１に係る陳列棚の収納手順を示す図。
【図８】実施形態２に係る陳列棚を示す分解斜視図。
【図９】実施形態２に係る陳列棚を示す図で、図９（ａ）はその正面図、図９（ｂ）はその側面図、図９（ｃ）はその平面図。
【図１０】実施形態２に係る陳列棚に物品を陳列した状態を示す斜視図。
【図１１】実施形態３に係る陳列棚を示す分解斜視図。
【発明を実施するための形態】
【０００９】
以下、本発明の実施形態について図面を参照しながら説明する。
【００１０】
（実施形態１）
本実施形態に係る陳列棚について図１乃至図４を用いて説明する。図１は陳列棚を示す分解斜視図である。図２は陳列棚を示す図で、図２（ａ）はその正面図、図２（ｂ）はその側面図、図２（ｃ）はその平面図である。図３は陳列棚の側板を示す展開図である。図４は陳列棚の棚板を示す展開図である。
【００１１】
図１および図２に示すように、本実施形態の陳列棚１０は一対の側板２０と、側板２０の間に係止される棚板３０を有している。陳列棚１０は、例えば３段の陳列棚である。側板２０および棚板３０は、例えば軽量で堅牢なプラスチックダンボール製である。
【００１２】
側板２０は鋭角部がカットされた直角三角形状で、階段状の斜辺２１を有している。各段において、斜辺２１から凸部（第１の凸部）２２および凸部（第２の凸部）２３が張り出している。
【００１３】
棚板３０は複数の棚板部３１と、複数の背板部３２と、複数の係止部３３を有している。棚板部３１と背板部３２は階段状に折り曲げ可能で交互に連接している。係止部３３は背板部３２の両側から張り出している。
【００１４】
係止部３３には、中央に長手方向に沿って矩形状のスリット（第１のスリット）３４が設けられ、両端に長手方向に沿って一端が開放されたスリット（第２のスリット）３５ａ、３５ｂが設けられている。
【００１５】
斜辺２１の凸部２２と係止部３３のスリット３４が嵌合するように設けられている。斜辺２１の凸部２３の上段側と係止部３３のスリット３５ａが嵌合し、斜辺２１の凸部２３の下段側と係止部３３のスリット３５ｂが嵌合するように設けられている。
【００１６】
陳列棚１０では、棚板３０が側板２０の斜辺２１に倣って階段状に折り曲げられ、スリット３４に凸部２２が嵌入され、スリット３５ａ、３５ｂに凸部２３の両段側が嵌入されて、側板２０に係止されている。
【００１７】
陳列棚１０では、棚板部３１は奥が手前より低くなるように係止されているので、ブックレットのような背の高い陳列物が落下し難くなっている。棚板部３１と背板部３２のなす角は略９０°であるが、９０°より若干大きくても良い。
【００１８】
更に、陳列棚１０は最下段に台座４０を有し、最上段に天板５０を有している。台座４０は陳列棚１０の下段側の強度を向上させるために設けられている。天板５０は陳列棚１０の上段側の強度を向上させるために設けられている。
【００１９】
図３に示すように、側板２０は鋭角部がカットされた直角三角形状で、上部２０ａ、下部２０ｂ、斜辺部２０ｃおよび補強部２０ｄで構成されている。
【００２０】
斜辺部２０ｃに１段目および２段目の斜辺２１が設けられている。斜辺部２０ｃの下部には、縦方向に沿った矩形状のスリット２４と、縦方向に一端が開放されたスリット２５が設けられている。スリット２４、２５は台座４０を係止するために設けられている。
【００２１】
上部２０ａに３段目の斜辺２１が設けられている。上部２０ａの上側には、横方向に一端が開放されたスリット２６が設けられている。スリット２６は天板５０を係止するために設けられている。
【００２２】
下部２０ｂの上端には、縦方向に一端が開放されたスリット２７が設けられている。スリット２７は、後述する実施形態２において天板５０を係止するために設けられている。
【００２３】
側板２０は、下部２０ｂと補強部２０ｄの間に２本の平行な切れ込み２８を有している。補強部２０ｄは切れ込み２８により下部２０ｂ側に折り曲げることができる。補強部２０ｄを折り曲げることにより、側板２０のエッジの厚さが増加するので、側板２０の強度が向上する。
【００２４】
側板２０は、上部２０ａと下部２０ｂの間に切れ込み２９を有している。上部２０ａは切れ込み２９により下部２０ｂ側に折り曲げることができる。後述するように、上部２０ａを折り曲げることにより、陳列棚１０の高さを切れ込み２９のある箇所の高さに調節でき、また３段目の背板３２を広い天板として使用することができる。
【００２５】
ここで切れ込みとは図５を参照して後述するように、例えばプラスチックダンボール素材の片方の側の最表面層（ライナー）を一定の幅だけ切った部分をいい、この切れ込みにより、切れ込みを入れた側とは反対方向に厚みのあるプラスチックダンボール素材を直角にまたは鋭角に精度良く折り曲げることができるようになる。
【００２６】
側板２０は、下部２０ｂと斜辺部２０ｃの間に切れ込み２８を有している。斜辺部２０ｃは切れ込み２８により下部２０ｂ側に折り曲げることができる。陳列棚１０を収納するときに、補強部２０ｄ、上部２０ａおよび斜辺部２０ｃを全て下部２０ｂ側に折り曲げると、側板２０をコンパクトに折りたたみ収納することができ、持ち運びにも便利となる。
【００２７】
図４に示すように、棚板３０は棚板部３１と背板部３２の間に階段状に交互に折り曲げ可能とする切れ込み２８を有している。係止部３３は陳列棚１０に後述する落下防止版を取り付けるための複数の孔３７を有している。孔３７は、例えば長手方向に沿って３つ設けられている。
【００２８】
棚板３０は最下段の棚板部３１に連接する台座部４１、４２、４３を有している。係止部４１ａが台座部４１の両側から張り出している。係止部４３ａが台座部４３の両側から張り出している。係止部４３ａの下端に、縦方向に一端が開放されたスリット４４が設けられている。係止部４１ａと図３に示すスリット２４が嵌合し、スリット４４と図３に示すスリット２５が嵌合するように設けられている。
【００２９】
棚板３０は最下段の棚板部３１と台座部４１の間、台座部４１、４２の間、および台座部４２、４３の間に、切れ込み２８を有している。切れ込み２８により台座部４１、４２、４３はコ字状に折り曲げることができる。
【００３０】
陳列棚１０では、台座部４１、４２、４３がコ字状に折り曲げられ、係止部４１ａがスリット２４に嵌入され、係止部４３ａがスリット２５に嵌入され、台座４０が２枚の側板２０に係止される（図１参照）。
【００３１】
棚板３０は最上段の背板部３２に連接する天板部５１を有している。係止部５１ａが天板部５１の両側から張り出している。係止部５１ａの上端に縦方向に一端が開放されたスリット５２が設けられている。スリット５２と図３に示すスリット２６が嵌合するように設けられている。
【００３２】
棚板３０は最上段の背板部３２と天板部５１の間に切れ込み２８を有している。切れ込み２８により天板部５１が水平になるように折り曲げることができる。
【００３３】
陳列棚１０では、天板部５１が水平になるように折り曲げられ、スリット５２がスリット２６に嵌入され、天板５０が２枚の側板２０に係止される（図１参照）。
【００３４】
図５は切れ込みを示す図で、図５（ａ）は切れ込み２８を示す断面図、図５（ｂ）は切れ込み２９を示す断面図である。図５（ａ）および図５（ｂ）に示すように、ダンボールシート６０は２枚のシート状のライナー６１、６２と、複数の長尺な中芯６３を有している。複数の中芯６３はピッチＰで平行に配列され、ライナー６１、６２に挟まれている。
【００３５】
切れ込み２８は、中芯６３に沿って隣接する中芯６３の間のライナー６１が切り取られて出来た細長い開口（開口幅Ｗ１）である。
【００３６】
ダンボールシート６０は切れ込み２８により両側に折り曲げ可能である。図５（ａ）では切れ込み２８を内側に折り曲げた場合を示している（谷折り）。切れ込み２８により棚板部３１と背板部３２が階段状に折り曲げられる。切れ込み２８は陳列棚１０の正面から見えないように設けるとよい。陳列棚１０の美観が向上する。
【００３７】
背板部３２から棚板部３１にかけては切れ込み２８を内側にして折り曲げ、棚板部３１から背板部３２にかけては切れ込み２８を外側にして折り曲げる（山折り）。
【００３８】
切れ込み２９は、中芯６３に直交する方向に沿って、ライナー６１および中芯６３の一部が切り取られて出来た細長い開口（開口幅Ｗ２）である。ダンボールシート６０は切れ込み２９により両側に折り曲げ可能である。図５（ｂ）では切れ込み２８を内側に折り曲げた場合を示している（谷折り）。切れ込み２９により、側板２０の上部２０ａが下部２０ｂ側に折り曲げられる。切れ込み２９は陳列棚１０の側面から見えないように設けるとよい。陳列棚１０の美観が向上する。
【００３９】
切れ込み２８はダンボールシート６０の目に沿った切れ込みである。一方、切れ込み２９はダンボールシート６０の目と直角な方向に沿った切れ込みである。ダンボールシート６０の目と直角な方向に沿った切れ込みは、ダンボールシート６０の強度を低下させる恐れがあるので、開口幅Ｗ２は開口幅Ｗ１より小さいことが望ましい。
【００４０】
最上段または最下段から棚板３０を階段状に折り曲げながら、係止部３３のスリット３４、３５ａ、３５ｂと斜辺２１の凸部２２、２３を嵌合させていくことにより、陳列棚１０を容易に組み立てることができる。
【００４１】
陳列棚１０を最上段から組み立てる場合、初めに天板５０を対向配置された一対の側板２０に係止した後、最上段から最下段に向かって棚板３０を階段状に折り曲げながら、各段のスリット３４、３５ａ、３５ｂと凸部２２、２３を嵌合させていき、最後に台座４０を側板２０に係止する。
【００４２】
陳列棚１０を最下段から組み立てる場合、上述とは逆になり、初めに台座４０を対向配置された一対の側板２０に係止した後、最下段から最上段に向かって棚板３０を階段状に折り曲げながら、各段のスリット３４、３５ａ、３５ｂと凸部２２、２３を嵌合させていき、最後に天板５０を側板２０に係止する。
【００４３】
図６は陳列棚１０に物品７０を陳列した状態を示す斜視図である。図６に示すように、１段目の棚には、例えばＡ４サイズの冊子とケースに収納されたＣＤ（Compact Disc）が陳列されている。２段目の棚には、例えばＢ５サイズの２つの冊子が陳列されている。３段目の棚には、例えばＡ５サイズの冊子が陳列されている。本実施形態に係る陳列棚の代表的なおよそのサイズを推察することができる。
【００４４】
陳列棚１０には物品７０の落下を防止するために落下防止板７１を設けるとよい。１段目および３段目の落下防止板７１は凸部２３の一端で支えられて凸部２２に当接し、例えば係止部３３の下側の２つの孔３７を通る紐７２により固定されている。２段目の落下防止板７１は凸部２２、２３に当接し、例えば係止部３３の上側の２つの孔３７を通る紐７２により固定されている。
【００４５】
落下防止板７１は、物品が見通せる透明な樹脂製の板が適している。落下防止板７１に、物品７０の名札等を掲示してもよい。
【００４６】
図７は棚板１０の収納手順を示す図である。図７に示すように、（１）側板２０を広げ、切れ込み２８で補強部２０ｄを折る。（２）側板１０の上部２０ａを切れ込み２９で側板１０の下部２０ｂ側に折る。補強部２０ｄと上部２０ａは略同一平面状にある。（３）側板１０の斜辺部２０ｃを切れ込み２８で側板１０の下部２０ｂ側に折る。（４）残りの側板２０も、（１）乃至（３）と同様にして折る。
【００４７】
次に、（５）棚板３０を広げる。（６）天板部５２を切れ込み２８で３段目の背板３２側に折る。（７）２段目の背板３２上に２つの折り畳んだ側板２０を載置する。（８）切れ込み２８で折り、３段目の背板３２を側板２０に被せる。（９）１段目の背板３２および台座部４１、４２、４３を、側板２０を包むように折る。
【００４８】
（１）乃至（９）の手順に従って、陳列棚１０を迅速、且つコンパクトに収納することが出来る。
【００４９】
以上説明したように、本実施形態の陳列棚１０は、一対の側板２０と、棚板３０と有している。側板２０は階段状の斜辺２１を有している。斜辺２１に凸部２２、２３が設けられている。棚板３０は階段状に折り曲げ可能に交互に連接する棚板部３１および背板部３２、背板部３２から張り出し係止部３３を有している。係止部３３にスリット３４、３５ａ、３５ｂが設けられている。
【００５０】
その結果、上段側または下段側から棚板３０を階段状に折り曲げながら、係止部３３のスリット３４、３５ａ、３５ｂと斜辺２１の凸部２２、２３を嵌合させていくことにより、陳列棚１０を容易に組み立てることができる。従って、組立作業性の良好な陳列棚が得られる。
【００５１】
ここでは、陳列棚１０が３段の陳列棚である場合について説明したが、段数には特に制限はない。陳列品の数に応じて適宜定めてよい。但し、陳列棚を机上に設置する場合は、背の高い陳列棚は転倒する恐れがあるので、３段程度が適当である。
【００５２】
切れ込み２８の開口幅Ｗ１が、略ピッチＰに等しい場合について説明したが、開口幅Ｗ１をピッチＰより大きくすることも可能である。開口幅Ｗ１をピッチＰより大きくする場合、連続した３以上の中芯６３の間のライナー６１を切り取る。更に、連続した３以上の中芯６３のうち、両端の中芯６３を除く中芯６３を切り取ってもよい。
【００５３】
開口幅Ｗ１をピッチＰより大きくすると、ダンボールシート６０を緩やかに（曲率半径を大きくして）折り曲げることができる。但し、開口幅Ｗ１をピッチＰより大きくし過ぎると、陳列棚１０の強度が低下する恐れがあるので、折り曲げ方向、折り曲げ角度等を考慮して必要最小限の開口幅に留めるのがよい。切れ込み２９についても同様である。
【００５４】
棚板部３１、背板部３２のサイズが同じである場合について説明したが、横方向のサイズが同じであればよく、縦方向のサイズは異なっていてもかまわない。陳列品の高さ、奥行きなどに応じて適宜定めてよい。但し、縦方向のサイズを揃えたほうが収納に便利である。
【００５５】
側板２０、棚板３０がプラスチックダンボールである場合について説明したが紙ダンボールでも構わない。紙ダンボールはプラスチックダンボールより強度、耐久性が劣る恐れがあるので、室内での使用、短期間の使用などに適している。
【００５６】
また、側板２０および棚板３０はプラスチック板、木板および金属板等とすることも可能である。側板２０および棚板３０がプラスチック板、木板および合板等の場合、切れ込みの代わりに、蝶番等を用いる。蝶番は金属製でも布製でもよい。
【００５７】
天板５０は小物、例えば物品７０の名札などを一時的に載せておく小デーブルとして、活用することができる。
【００５８】
陳列棚１０の正面から側板２０を見ると、側板２０の切断面に露出した中芯６３が見えている。側板２０の切断面をプラスチックダンボール６０と同色系のテープまたはパテ等でマスキングして、陳列棚１０を化粧すると良い。陳列棚１０の美観が向上する。
【００５９】
プラスチックダンボール６０が半透明の場合、隣接する中芯６３の間に発光素子、例えＬＥＤ（Light Emitting Diode）などを設けて、陳列棚１０を電飾しても良い。陳列棚１０の美観が更に向上する。
【００６０】
（実施形態２）
本実施形態に係る陳列棚について、図８および図９を用いて説明する。図８は本実施形態の陳列棚を示す分解斜視図、図９は本実施形態の陳列棚を示す図で、図９（ａ）はその正面図、図９（ｂ）はその側面図、図９（ｃ）はその平面図である。
【００６１】
本実施形態において、上記実施形態１と同一の構成部分には同一符号を付してその部分の説明は省略し、異なる部分について説明する。本実施形態が実施形態１と異なる点は、陳列棚の上段をテーブル状にしたことにある。
【００６２】
即ち、図８および図９に示すように、本実施形態の陳列棚８０は、側板２０の上部２０ａが切れ込み２９で側板２０の下部２０ｂ側に折り曲げられている。３段目の背板部３２が切れ込み２８で水平に折り曲げられている。３段目の背板部３２は、広いテーブルとして用いることができる。以後、３段目の背板部３２をテーブル８１と称する。
【００６３】
３段目の係止部３３は側板２０の下部２０ｂの上端に当接し、支えられている。３段目の係止部３３のスリット３５ａは２段目の斜辺２１の端部と嵌合している。天板５０のスリット５２が下部２０ｂのスリット２７と嵌合している。３段目の係止部３３のスリット３５ｂとスリット３４はどこにも嵌合していない。
【００６４】
図１０は陳列棚８０に物品を陳列した状態を示す斜視図である。図１０に示すように、テーブル８１には、例えば携帯用ＣＤプレーヤおよびヘッドフォンなど嵩のある物品８３を陳列することができる。
【００６５】
以上説明したように、本実施形態の陳列棚８０では、側板２０の上部２０ａを下部２０ｂ側に折り曲げ、最上段の背板部３２を水平に折り曲げている。その結果、最上段の背板部３２を広いテーブル８１として利用することができる利点がある。陳列棚８０を、その場で陳列棚１０に変更することも容易である。
【００６６】
（実施形態３）
本実施形態に係る陳列棚について、図１１を用いて説明する。図１１は本実施形態の陳列棚を示す分解斜視図である。本実施形態において、上記実施形態１と同一の構成部分には同一符号を付してその部分の説明は省略し、異なる部分について説明する。本実施形態が実施形態１と異なる点は、側板を脚状とし、棚板を簾状としたことにある。
【００６７】
即ち、図１１に示すように、本実施形態の陳列棚１００は一対の脚状の側板１２０と、側板１２０の間に階段状に係止される簾状の棚板１３０を有している。側板１２０および棚板１３０は、例えばプラスチック製である。
【００６８】
側板１２０は２脚で、第１の脚１２１と、第２の脚１２２を有している。第１の脚１２１と第２の脚１２２は回動可能に連結されており、逆Ｖ字状に開脚してストッパー１２３により固定されている。一対の側板１２０は、下端部が連結板１４０により連結され、上端部が連結棒１５０により連結されて自立している。
【００６９】
棚板１３０は、複数の細長い棒（串）が糸で編み連ねられた簾状である。連結板１４０は簾の一端に接続されている。簾状の棚板１３０は第２の脚１２２に固定された係止部品１６０により階段状に側板１２０の間に係止されている。
【００７０】
第２の脚１２２には、係止部品１６０を固定するためのピン孔１２４と、連結板１４０および連結棒１５０を係止するためのピン孔１２５が複数設けられている。係止部品１６０の側面からピン１６１が突出している。ピン１６１とピン孔１２４が嵌合し、係止部品１６０が第２の脚１２２に固定される。係止部品１６０は、簾の串に嵌合する櫛歯状の凹部１６２を有している。
【００７１】
連結板１４０の両端からピン１４１が突出している。ピン１４１と下端部のピン孔１２５が嵌合し、一対の側板１２０の下端部が連結板１４０により連結される。連結棒１５０の両端からピン１５１が突出している。ピン１５１と上端部のピン孔１２５が嵌合し、一対の側板１２０の上端部が連結棒１５０により連結される。
【００７２】
棚板１３０は簾を階段状に折り曲げて、簾の串を櫛歯状の凹部１６２に嵌合させて行くことにより、側板１２０に係止されている。櫛歯状の凹部１６２に嵌合する簾の部分が棚飯部１３１になり、棚板部１３１の間の簾の部分が背板部１３２になる。最上段の次の棚板部１３１が天板部１３３になる。
【００７３】
最上段または最下段から棚板１３０を階段状に折り曲げながら、簾の串を格段の凹部１６２に嵌合させていくことにより、陳列棚１００を容易に組み立てることができる。
【００７４】
陳列棚１００を最上段から組み立てる場合、始に天板部１３３になる簾の上端部を凹部１６２に嵌合させた後、最上段から最下段に向かって棚板１３０を階段状に折り曲げながら、簾を格段の凹部１６２に嵌合させていき、最後に連結板１４０を側板１２０に係止する。
【００７５】
陳列棚１００を最下段から組み立てる場合、始に連結板１４０を対向配置された一対の側板１２０に係止した後、最下段から最上段に向かって棚板１３０を階段状に折り曲げながら、簾を格段の凹部１６２に嵌合させていく。
【００７６】
陳列棚１００を収納するときは、（１）簾を側板１２０から取り外す。（２）側板１２０からストッパー１２３および係止部品１６０を取り外し、開脚した第１の脚１２１と第２の脚１２２を畳む。（２）畳んだ第１の脚１２１と第２の脚１２２、ストッパー１２３および連結棒１５０を一緒に簾で簀巻きにする。（１）乃至（３）の手順に従って、陳列棚１００を迅速、且つコンパクトに収納することができる。
【００７７】
以上説明したように、本実施形態の陳列棚１００では、側板１２０が脚状であり、棚板１３０が簾状である。その結果、棚の傾きおよび棚の各段の高さをフレキシブルに変更することができる利点がある。
【００７８】
以上、いくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００７９】
なお、以下の付記に記載されているような構成が考えられる。
（付記１）  前記係止部は、前記第１のスリットの長手方向に沿って、複数の孔を具備する請求項１に記載の陳列棚。
【００８０】
（付記２）  前記第１のスリットに挿入された前記第１の凸部に当接し、前記孔を通る紐で係止された落下防止板を具備する付記１に記載の陳列棚。
【００８１】
（付記３）  前記落下防止板は、透光性を有する付記２に記載の陳列棚。
【００８２】
（付記４）  前記棚板および前記側板は、プラスチック板、木板および金属板のいずれかである請求項１に記載の陳列棚。
【００８３】
（付記５）  前記棚板および前記側板は、蝶番を含む付記４に記載の陳列棚。
【００８４】
（付記６）  簾状の棚板と、
回動可能に連結された第１の脚と第２の脚を有し、前記第２の脚に前記簾の串に嵌合する凹部を有する複数の係止部品が取り付けられた一対の側板と、
を具備し、
前記第１の脚と前記第２の脚が開脚して対向配置された前記一対の側板に、前記簾の串が前記凹部に挿入されて前記棚板が階段状に係止されている陳列棚。
【符号の説明】
【００８５】
１０、８０、１００  陳列棚
２０、１２０  側板
２１  斜辺
２２、２３、８２  凸部
２０ａ  上部
２０ｂ  下部
２０ｃ  斜辺部
２０ｄ  補強部
２４、２５、２６、２７、３４、３５ａ、３５ｂ、４４、５２  スリット
２８、２９  切れ込み
３０、１３０  棚板
３１、１３１  棚板部
３２、１３２  背板部
３３  係止部
３７  孔
４０  台座
４１、４２、４３  台座部
４１ａ、４３ａ、５１ａ係止部
５０  天板
５１、１３３  天板部
６０  ダンボールシート
６１、６２  ライナー
６３  中芯
７０、８３  物品
７１  落下防止板
７２  紐
８１  テーブル
１２１  第１の脚
１２２  第２の脚
１２３  ストッパー
１２４、１２５  ピン孔
１４０  連結板
１４１、１５１、１６１  ピン
１５０  連結棒
１６０  係止部品
１６２  凹部
【図２】
2015085147.tif 000003
【図３】
2015085147.tif 000004
【図４】
2015085147.tif 000005
【図５】
2015085147.tif 000006
【図６】
2015085147.tif 000007
【図７】
2015085147.tif 000008
【図８】
2015085147.tif 000009
【図９】
2015085147.tif 000010
【図１０】
2015085147.tif 000011
【図１１】
2015085147.tif 000012
【図１】
2015085147.tif 000013
【手続補正書】
【提出日】平成26年3月25日(2014.3.25)
【手続補正１】
【補正対象書類名】図面
【補正対象項目名】図１
【補正方法】変更
【補正の内容】
【図１】
2015085147.tif 000014